(57)【要約】【課題】  浮遊式の小型簡易構造で小電力でありながら大きな吸水力をもつと共に、風呂垢取り器が湯槽の湯槽内の場所を選ばず吸水することにより、安定して効率的に湯の表面に浮いた湯垢等を除去して濾過した湯垢等が湯槽に逆流することのないようにした風呂垢取り器を提供する。【解決手段】  浮子８と浮体ベース７と浮体カバー６を設けた浮体部１を備える。浮体部１の浮体ベース７に電池１０と動力モーター９の回転軸を下向き垂直に備える。回転軸にシャフト１４を接続させて、シャフト１４に複数の羽根を持つスクリュー１５を備える。提灯の様な形状の槽中間部１８内部で複数の羽根を持つスクリュー１５を回転させて渦巻きを発生させる。湯面２６の喫水と同レベルに設けた渦巻槽４の開口部２０を設けた流入部１７から湯を取り込み、渦巻きの力でフィルター部５に吐出させて濾過する。【選択図】  図１
2013111450.tif 000002
【特許請求の範囲】
【請求項１】
浮力を受けるための浮子と、前記浮子の上側に設けられた円盤型の浮体ベースと、前記浮体ベースの上に設けられたモーター支持部材及び電池ケースと前記モーター支持部材及び前記電池ケースの上側を覆う外表面が曲面に形成された浮体カバーからなる浮体部と、前記モーター支持部材に回転軸を下向きにして着脱自在に固定されて設けられたモーター、前記電池ケースに着脱自在に設けられた電池、及び起動スイッチからなる動力発生装置と、前記浮子の下側に着脱自在に固定して設けられた渦巻槽取り付け具、天端を喫水と同レベルに設けられた湯を流し込む流入部、前記流入部から流入した湯に渦巻をつくる構成で設けられた槽中間部、及び前記槽中間部に流入した湯をフィルターに排出させる吐出部からなる渦巻槽と、前記渦巻槽の中空内部に設けられ前記モーターの回転軸に一端を着脱自在に接続されて垂直に設けられたシャフト、前記シャフトに設けられた複数の羽根を持つスクリュー、及び前記シャフトの他端を支持し前記吐出部に着脱自在に設けられたシャフト受けからなる渦巻発生装置と、前記吐出部に設けられ湯垢等を濾過収集するフィルター、前記吐出部に前記フィルターを着脱自在に接続させるフィルター取り付け具、及び前記フィルターに設けられた逆流防止フィルムからなる濾過部と、を備えたことを特徴とする風呂垢取り器。
【請求項２】
前記浮子は、前記浮体ベースの中心に対して等角度の間隔に４つ設けられ、浮子と浮子の間に形成された空間の角度幅は、前記浮子の角度間隔の２分の１に設定され、浮子と浮子の間の空間が、前記流入部への導水路となるように構成され、前記モーター支持部材は前記モーターの回転軸が前記浮体ベースの中心になるよう設けられ、前記電池ケースは重心が前記浮体ベースの中心に近付くよう前記モーターに左右対称で近接して設けられ、前記浮体カバーと前記浮体ベースは水密かつ着脱自在に嵌合するように構成されたことを特徴とする請求項１記載の風呂垢取り器。
【請求項３】
前記流入部は中空円筒体で、天端に溝形の開口部が設けられ、前記槽中間部は中空のビア樽の様な形状で、前記槽中間部の中程から前記流入部に向かって内径が細くなるように絞り込むと共に、前記槽中間部の中程から前記吐出部に向かって内径が細くなるように絞り込まれ、前記吐出部は中空円筒体で前記シャフト受けと接続するためのシャフト受け接続部が設けられていることを特徴とする請求項１及び２記載の風呂垢取り器。
【請求項４】
前記フィルターは半透明の袋状に形成され、外部から目視できるよう構成され、前記フィルターの内表面の中間部に、互いに向かい合い重なるように、２枚の逆流防止フィルムの上部を前記フィルターに貼り付けたことを特徴とする請求項１記載の風呂垢取り器。
【発明の詳細な説明】
【技術分野】
【０００１】
本発明は、浴槽の湯面に浮かべて湯面に浮遊している湯垢等の不純物を取り除くのに使用される風呂垢取り器に関するものである。
【背景技術】
【０００２】
湯垢等は湯面に浮いてから沈下するものであるから、湯面に浮いている間に除去できれば効率的であるが、従来の風呂垢取り器では種々の課題を残したままであるので、製品化したものが市場に出回っていない。
【０００３】
特許文献１の特開２００８−８６７３０号公報に記載された風呂垢取り器は、円筒状の吸水排水体にモーターと回転羽根で、風呂垢取り器の一側方にある吸水口から入った湯の水面を掻き上げて、水面より高位置にある排水口から濾過室に流し込み、濾過室の底面及び側面から排水する構造となっているため、風呂垢取り器の吸水口が浴槽内の壁面に位置した時は湯垢等を除去する効率が低下する。また回転羽根が円筒状の囲まれた中で回転しているので、吸水口付近の湯面が乱されるため、風呂垢取り器から湯垢が離れ遠ざかっていくものもあり効率が低下する。
【０００４】
特許文献２の特開２００３−４７５６９号公報に記載された風呂クリーナーは、浮子体の外周部に浮子体の中心に対して対称形に設けられた吸水口と、浮子体に設けられた電動ポンプと、電動ポンプで吸水した水を排水する排水口と、吸水口にフィルターを備えたものであるが、吸水口の前面にフィルターを備えているため、フィルターに湯垢等が付着することにより吸水力が低下するので効率的でなく、また装置が何等かの理由で停止すれば、収集した湯垢等が湯槽に解放されることになる。
【先行技術文献】
【特許文献】
【０００５】
【特許文献１】特開２００８−８６７３０号公報
【特許文献２】特開２００３−４７５６９号公報
【発明の概要】
【発明が解決しようとする課題】
【０００６】
しかし、上述した特許文献いずれも浴槽内の湯垢等を効率的に除去できるものではなった。
【０００７】
そこで本発明の目的は、簡易構造で湯の吸い込み速度を高め、湯垢等が浮遊している湯面付近の湯のみを吸い込むようにし、フィルターを常に効率的、且つ効果的に機能させ、湯槽内の位置を選ばず安定して迅速に湯垢等を収集して除去し、収集した湯垢等が逆流して湯面に戻ることの無い構成を備えた風呂垢取り器を提供することにある。
【課題を解決するための手段】
【０００８】
本発明の第１の発明は、浮体部は浮力を受けるための浮子と、浮子の上側に設けられた円盤型の浮体ベースと、浮体ベースの上に設けられたモーター支持部材及び電池ケースと、モーター支持部材及び電池ケース上側を覆う外表面が曲面に形成された浮体カバーから構成されている。また、動力発生装置は浮体ベースの上に設けられたモーター支持部材に回転軸を下向きに着脱自在に固定して設けられたモーターと、電池ケースに着脱自在に設けられた電池と起動スイッチから構成されている。そして、渦巻槽は浮子の下側に着脱自在に固定して設けられた渦巻槽取り付け具と、浮体ベースの下側で天端を喫水と同レベルに設けられた湯を流し込む流入部と、流入部から流入した湯に渦巻をつくる構成で設けられた槽中間部と、槽中間部の湯を排出させる吐出部から構成されている。それから、渦巻発生装置は渦巻槽の中空内部に設けられて、モーターの回転軸に一端を着脱自在に接続させて垂直に設けられたシャフトと、渦巻槽の内部で渦巻を発生させるようシャフトの一端から他端にかけて設けられた複数の羽根を持つスクリューと、シャフトの他端を支持して吐出部に着脱自在に固定して設けられたシャフト受けから構成されている。さらに、濾過部は吐出部に接続して設けられた湯垢等を濾過収集するフィルターと、フィルターを吐出部に着脱自在に接続させるフィルター取り付け具と、フィルターに設けられた逆流防止フィルムから構成されたことを特徴としている。
【０００９】
第２の発明は、浮子は浮体ベースの中心に対して等角度の間隔に４つ設けられ、浮子と浮子の間に形成された空間の角度幅は浮子の角度間隔の２分の１に設定されたことにより、浮子と浮子の間の空間が流入部へ湯を導く導水路となるよう構成している。また、モーター支持材はモーターの回転軸が浮体ベースの中心にくるよう設けられ、電池ケースは重心が浮体ベースの中心に近付くようモーターに左右対称で近接して設けられた構成をしている。そして、浮体カバーと浮体ベースに囲まれた内部にある動力発生装置を防水保護する浮体カバーは、浮体ベースに水密かつ着脱自在に嵌合するように構成されたことを特徴としている。
【００１０】
第３の発明は、浮体ベースの下側に設けられた渦巻槽上部の流入部は中空円筒体で天端に溝形の開口部を設けられた構成とした。そして、槽中間部は中空のビア樽の様な形状で、槽中間部の中程から流入部に向かって内径が細くなるように絞込むと共に、槽中間部の中程から吐出部に向かっては、内径が細くなるように絞込んだ構成をしている。それから、渦巻槽の下部に設けられた吐出部は中空円筒体に形成されて、シャフト受け接続部が設けられた構成をしていることを特徴としている。
【００１１】
第４の発明は、半透明の袋状に形成したフィルターは外部から目視できるように構成されている。また、袋状のフィルターの内表面の中間部に設けられた逆流防止フィルムは、２枚の長方形をした逆流防止フィルムが互いに向かい合い重なるように、上部をフィルターに貼り付けて設けられた構成をしていることを特徴としている。
【発明の効果】
【００１２】
本発明に係る風呂垢取り器の第１発明は、浴槽に浮遊して浴槽内の位置を選ばずに湯垢等の混ざった湯を吸水することができ、小電力で渦巻きを発生させて強い吸水力を備えることにより、湯面に浮いた湯垢を効率的に収集することができる。また、本垢取り器は構造も簡単であり部品も少ないので小型軽量にできる。それにより、入浴中も邪魔にならず入浴時に浮いた垢を浮遊している間に除去できて、風呂全体の汚れを防ぐことができる。
【００１３】
モーターの回転軸を下向きに設けたので、渦巻発生装置のシャフトに直接接続されているため機械的エネルギーの損失を少なくできる。また、渦巻の慣性力が働くので消費電力が少なくなる。そして、モーター支持部材とモーターが着脱自在に構成され、また電池ケースと電池が着脱自在に構成され、モーターとシャフトが着脱自在に構成されたことにより、モーターの交換及び電池の交換が容易にできる。
【００１４】
シャフト受けを設けたことにより、シャフトの芯振れを防止して安定した回転を発生させることができる。また、渦巻槽取り付け具及びシャフト受けが着脱自在に設けられたことにより、渦巻槽内部と渦巻発生装置を目視することができるので、渦巻槽内部と渦巻発生装置の掃除及び手入れ補修が容易にできる。
【００１５】
フィルター取り付け具を設けたことにより、吐出部に着脱自在にフィルターを取り付けることができるので、フィルターの交換を容易にすることができる。
【００１６】
本発明に係る風呂垢取り器の第２発明は、浮体部の浮体ベースを円盤形にして、浮体部の中心に重心が近づくようにモーター支持部材及び電池ケースを設けたので浮体の安定が良いので転覆し難い。また、浮体カバーが着脱自在に設けられたことによりモーター及び電池の交換が容易にできる。そして、浮体ベース下部の四方に浮子を設けたことにより、浮子と浮子の間の空間が渦巻槽の流入部への導水路となり、四方から風呂湯を吸水することができるので、湯槽内の位置を選ばず安定して吸水することができる。
【００１７】
本発明に係る風呂垢取り器の第３発明は、流入部の天端に溝型の開口部を設けたことにより、湯の表面張力に左右されず均等に流入部に設けた開口部で風呂湯を取り込むことができるので、安定して湯の表面に浮く湯垢等を除去することができる。また、槽中間部の中程から流入部に向かって内径が細くなるように絞込んだ構成にしたことにより、渦巻きが流入部から飛び出すのを防止できることで、流入部に接近してきた湯垢等が飛び出した湯の力で流入部から離れていくことは無い。そして、槽中間部の中程から吐出部に向かっては、内径が細くなるように絞込んだ構成にしたことにより、吐出するための水流をつくることができるので、逆流防止フィルム及びフィルターを開かせてフィルターの濾過収集位置まで湯を流入させることができる。それから、吐出部にシャフト受け接続部が設けられたことによりシャフト受けの着脱が自在にできる。
【００１８】
本発明に係る風呂垢取り器の第４発明は、フィルターが外部から目視できるので、フィルターに湯垢が溜まるとフィルターの汚れを直ちに確認することができ、フィルターを交換すべき時期が分かるので、フィルターの目詰り発生による湯の吸い込み能力低下を防止できると共に衛生的にも良い。また、フィルターはフィルター取り付け具で吐出部に容易に着脱ができるので、フィルターが汚れると直ぐに取り換えることができる。そして、フィルターは袋状に形成されて、逆流防止フィルムが設けられたことにより、渦巻発生装置が回転している時は渦巻流の流圧が、逆流防止フィルム及びフィルターに作用する水圧を上回り逆流防止フィルム及びフィルターは開いた状態になるが、渦巻発生装置が停止した時は逆流防止フィルム及びフィルターに作用する水圧により逆流防止フィルムは閉じた状態になり、フィルターは濾過収集した湯垢等を挟み込んで濾過収集した湯垢等を閉じ込めることができる。これにより、フィルターで濾過収集した湯垢等が湯槽に逆流して戻ることは無い。
【図面の簡単な説明】
【００１９】
【図１】本発明の第１の実施形態に係る風呂垢取り器のＡ−Ａ横断面図（渦巻発生装置駆動時）である。
【図２】上同の風呂垢取り器のＢ−Ｂ水平断面図である。
【図３】上同の風呂垢取り器の下側からの斜視図である。
【図４】上同の風呂垢取り器のＣ−Ｃ縦断面図（渦巻発生装置駆動時）である。
【図５】上同の風呂垢取り器のフィルター部の縦断面図（渦巻発生装置停止時）である。
【図６】上同の風呂垢取り器の渦巻槽部の斜視図である。
【図７】本発明の第２施形態に係る風呂垢取り器の螺旋スクリューと押し出し槽の斜視図である。
【発明を実施するための形態】
【００２０】
本発明の風呂垢取り器の構成について、以下に説明する。
【００２１】
図１は本発明の風呂垢取り器を示すもので、１は浮体部で浮子８と浮体ベース７とモーター支持部材１１と電池ケース１３と浮体カバー６を備える。２は動力発生装置でモーター９と電池１０と起動スイッチ１２を備える。３は渦巻発生装置でシャフト１４と複数の羽根を持つスクリュー１５とシャフト受け１６を備える。４は渦巻槽で流入部１７と槽中間部１８と吐出部１９と渦巻槽取り付け具２１を備える。５は濾過部でフィルター２３とフィルター取り付け具２４と逆流防止フィルム２５を備えて構成する。
【００２２】
浮体カバー６と浮体ベース７は水密かつ着脱自在に嵌合している構成で、モーター支持部材１１に設けられたモーター９及び電池ケース１３に設けられた電池１０を保護している。モーター支持部材１１とモーター９が着脱自在に構成され、また電池ケース１３と電池１０が着脱自在に構成されたことにより、モーター９及び電池１０の交換が容易な構造になっている。浮体ベース７は円盤型で、浮体カバー６の外表面が曲面で構成され、角が無いので浴槽を傷つけることが少ない。なお、浮体カバー６と浮体ベース７を一体としてもよい。その時はモーター９と電池１０を着脱するための防水性のある着脱蓋を別途設けることになる。
【００２３】
渦巻発生装置３は渦巻槽４の中空内部に設けられ、モーター９の回転軸にシャフト１４の一端を着脱自在に接続させ、シャフト１４の一端から他端にかけて複数の羽根を持つスクリュー１５が設けられ、図３に示すように他端にシャフト受け１６が設けられて、吐出部１９に着脱自在に接続する構成をしている。シャフト１４が垂直に設けられ、複数の羽根を持つスクリュー１５が右回転することにより深い渦心を持つ渦巻きができる。深い渦心を作ることにより強い吸引を生むことができる。シャフト受け１６を設けたことによりシャフト１４の芯振れを防止して安定した回転を生むことができる。
【００２４】
渦巻槽４は、上端に流入部１７が設けられた中空の円筒体で構成され天端に溝型の開口部２０が設けられて湯を四方から取り込むことができる。流入部１７の下部に設けられたビア樽の様な形状の槽中間部１８は深い渦心を持つ渦巻を作るように構成されている。槽中間部１８下部に設けられた吐出部１９はシャフト受け接続部２２が設けられている。槽中間部１８の中程から流入口にかけては、渦巻きが流入部１７から飛び出さないように、流入部に向かって内径が細くなるように絞り込まれている。また、中間部から吐出部１９に向かっては、湯がフィルター２３に流出するための水流をつくるため、内径が細くなるように絞り込んだ構成をしている。吐出部１９はシャフト受け１６が着脱自在な接続ができるシャフト受け接続部を設けている。渦巻槽取り付け具２１は浮子８の下側に着脱自在に設けている。これにより、渦巻槽４の内部及び渦巻発生装置３が目視できるので、掃除及び手入れ補修が容易にできる。なお、渦巻槽４に流入する湯を調整する湯面２６と流入部１７との喫水位の調整はカウンターウエイトによるのが望ましい。
【００２５】
濾過部５のフィルター２３は、吐出部１９に容易に着脱ができる。フィルター取り付け具２４はスプールバンド方式等で設けられている。フィルター２３が半透明で外部から目視できるので、収集した湯垢等２８が溜まると汚れ具合が目視でき、交換すべき時期がわかり、直ぐにフィルター２３の交換ができるので、フィルター２３の目詰まり防止及び衛生的にも良い。
【００２６】
フィルター２３は半透明で長方形の袋状に形成され、上部の内面は滑らかにして湯垢等が付着し難く設け、下部の内面を毛羽立った粗面に設ける。これにより、湯垢等がフィルター２３の下部に流動し易くし、濾過収集した湯垢等が毛羽立った粗面に捕捉されるので、フィルター２３から外部に収集した湯垢が放出するのを防止している。また、安価で湯垢等の濾過率も良い紅茶のティーバッグ等に使用されているＰＥＴ（ポリエチレンフタラート）等の不織布を使用することで、湯垢等を効率的に濾過収集できる。また、フィルター２３が袋状形態をしているため、渦巻流がフィルター２３に流入しない時は水圧により袋が閉じて濾過し収集した湯垢等２８を挟み込んでしまう。
【００２７】
フィルター２３には、濾過された湯垢等が逆流して湯槽に逆戻りしないようにフィルター２３の内表面に２枚の長方形をした逆流防止フィルム２５を互いに向かい合い重なるように貼り付けた構成をしている。なお、逆流防止フィルム２５はフィルター２３にボンド等で接着し、表面が滑らかで密着性のあるＰＰ（ポリプロピレン）等の安価な材料を使用すればよい。
【００２８】
浮体部１の浮体ベース７は円盤形状をしている。これは浮かんだ時に安定度を良くするためであり、４つの浮子８は浮体ベース７の中心に対して等角度（９０度）ごとに浮体ベース７の下側に固定して設けられている。なお、実施例では浮子８を４つにしているが、浮子８を浮体部１が安定する３つ以上を等角度に設ければ良い。
【００２９】
図２に示すように、動力発生装置２のモーター９と電池１０は、浮体部１の浮体ベース７に設ける時の配置は、浮体部１の安定を保つため浮体ベース７の中心にモーター９を据える。また、電池１０はモーター９に左右対称で設けて浮体部１の重心が浮体部１の中心にくるように電池ケース１３とモーター支持部材１１を浮体ベース７に設けている。そのため湯槽に浮かべても安定が良く、転覆に対する復元力を持っている。
【００３０】
図３に示すように、４つの浮子８は、浮体ベース７中心に対して等角度（９０度）の間隔で設けられ、浮子８と浮子８間に形成される空間の角度幅は等角度間隔の２分の１（４５度）を設けて、浮体ベース７下側に固定し設けられた浮子８と浮子８の間の空間が、流入部１７への導水路２７となるよう構成されたにより、四方から吸水することができる。なお、実施例では等角度間隔の２分の１（４５度）としたが、浮子８の形状により浮子８と浮子８の間に形成される空間の角度幅は大きくすることができる。
【００３１】
図４に示すように、濾過部５のフィルター２３は、渦巻発生装置３が作動時には渦巻きの水流によってフィルター２３は開いているが、図５に示すように停止した時には逆流防止フィルム２５の張力と水圧が働き、逆流防止弁の役割をしてフィルター２３は閉じているので収集した湯垢等２８が袋状のフィルター２３によって挟み込まれた状態になっているので、収集した湯垢等２８が逆流して流入部１７から湯槽に放出することはない。
【００３２】
図６に示すように、渦巻槽４の流入部１７には天端の四方に溝型の開口部２０を設けているので、湯面２６の表面張力に左右されず均等に天端に設けた開口部２０から湯を流入させることができるので、湯槽の場所を選ばずに安定して湯を吸水することができる。なお、実施例では開口部２０が四角形の溝型で構成しているが、逆三角形または円弧状の溝型にしてもよい。
【００３３】
吐出部１９にはシャフト受け１６が接続するシャフト受け接続部２２が設けられているので、シャフト受け１６の着脱を自在にすることができる。
【００３４】
第１の実施形態は、ビア樽の様な形状の槽中間部１８を設けた渦巻槽４と複数の羽根を持つスクリュー１５により、渦巻槽４内で発生した渦巻の力で湯面２６の湯を流入部１７から取り込んでいたが、図7に示すように第２の実施形態では、槽中間部１８を中空円筒体に形成した押し出し槽３０と螺旋スクリュー２９を設けて湯面２６の湯を流入部１７から取り込むものである。
【００３５】
この風呂垢取り器で浴槽内の湯垢を除去する場合は、風呂垢取り器を湯面２６に浮かべる。風呂垢取り器を湯面２６に浮かべると浮体部１、動力発生装置２、渦巻発生装置３及び渦巻槽４の重心が浮体部１の中心に近づけた配置になっているので、風呂垢取り器は湯面に安定して浮かび、直ぐに渦巻槽４の下端に設けられた吐出部１９から湯が流れ込み渦巻槽４は湯で満たされた状態になる。この状態で動力発生装置３の起動スイッチ１２をＯＮするとモーター９が回転して、渦巻槽４の中空内部に設けられた渦巻発生装置３のシャフト１４に伝達し、シャフト１４に設けられた複数の羽根を持つスクリュー１５が回転して、渦巻流が発生する。渦巻流が発生すると渦巻槽４内部に満たされていた湯の水位が下がり、流入部１７付近の湯面２６と渦巻槽４内部の水位に落差ができる。これにより、流入部１７から流れ落ちるように湯面２６付近の湯が渦巻槽４に流入する。この流入するエネルギーによって風呂垢取り器周辺の湯面２６の湯を流入部１７に引き込む流れが発生して、湯面２６付近に存在する湯垢等も流入部１７に引き込むことができる。そして、渦巻槽４で発生した渦巻流が吐出部１９から排出する水流となり濾過部５に湯を排出する。この排出された水流の圧力で濾過部５の逆流防止フィルター２５及びフィルター２３が開いてフィルター２３の下部で湯垢等を濾過収集し、湯はフィルター２３を通過して湯槽に戻る。なお、図示しないタイマーに設定された所定の時間経過後に作動を停止するようになっている。
【００３６】
種々実験と試作品の結果によると、動力発生装置２は１．５Ｖの単三型電池１０により工作用１．５Ｖのモーター９が回転し、渦巻発生装置３は直径２ｍｍのシャフト１４に直径２０ｍｍから２５ｍｍで複数（２枚から５枚）の羽根を持つスクリュー１５を設けられて渦巻槽４の槽中間部１８で複数の羽根を持つスクリュー１５が回転すると、渦巻が発生して浴槽内の湯面と同レベルであった渦巻槽４内部の湯面は低下し、流入部１７の天端に設けた開口部２０から槽中間部１８に渦を巻いて落下するように流入することを確認した。また、電池１０については浮体の安定と電池寿命を考慮して単三型電池２本を並列つなぎとしたが、もう少し小型化するのであれば単４型を２本にしても良い。そして、電池１０は環境にも優しく経済的な充電池を設けることが好ましい。なお、本湯垢取り器は１．５Ｖ用のモーター９を使用しているが、１．２Ｖの充電池でも実用上支障の無い回転を得ることを実験で確認している。また、モーターを３．０Ｖを使用すれば１．５Ｖのモーターを使用する時に比べて強い吸水力が得られるので、浄化装置の設置していない観賞用の池等でのＳＳ除去にも使用することができる。なお、実験は市販の工作用モーターを使用したが、より効果的な渦巻きを発生させるには１．５V用のモーターでも回転数が少なく、トルクの大きなものを使用するのが良い。
【符号の説明】
【００３７】
１      浮体部
２      動力発生装置
３      渦巻発生装置  
４      渦巻槽  
５      濾過部
６      浮体カバー
７      浮体ベース  
８      浮子
９      モーター
１０    電池
１１    モーター支持部材
１２    起動スイッチ
１３    電池ケース
１４    シャフト
１５    複数の羽根を持つスクリュー
１６    シャフト受け
１７    流入部
１８    槽中間部
１９    吐出部
２０    開口部
２１    渦巻槽取り付け具
２２    シャフト受け接続部
２３    フィルター
２４    フィルター取り付け具
２５    逆流防止フィルム
２６    湯面
２７    導水路
２８    収集した湯垢等
２９    螺旋スクリュー
３０    押し出し槽
【図１】
2013111450.tif 000003
【図２】
2013111450.tif 000004
【図３】
2013111450.tif 000005
【図４】
2013111450.tif 000006
【図５】
2013111450.tif 000007
【図６】
2013111450.tif 000008
【図７】
2013111450.tif 000009